【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
工具カップリング部と少なくとも一つの半径方向に向けられたスロットとを備えて成る内側ハンドルと、
半径方向に向けられたスロットに配置される少なくとも一つのインターフェイス部材であって、概して内側ハンドルの長手方向軸に沿って向けられた細長い表面を備えて成るインターフェイス部材と、
バイアスアセンブリ開口に配置されるバイアス部材とリテーナとの間に圧縮されて入れられるコイルバネであって、半径方向外側にインターフェイス部材をバイアスする長手方向バイアス力を提供するための長手方向に沿って向けられたコイルバネと、
使用者によって握られるのに適合した、長手方向軸に沿って向けられる外側表面と、インターフェイス部材の半径方向の変位を制限する内部表面と、を有する外側ハンドルと、を備えて成り、外側ハンドルの内側表面と直接接触するインターフェイス部材上の細長い表面は、少なくともおよそ０．５インチの長さで且つ概して内側ハンドルの長手方向軸に沿って向けられる係合の細長い表面領域を備えて成り、内側ハンドル、外側ハンドル及びインターフェイス部材のうちの一つ又はそのいくつかが高分子材料より成るトルク制限工具。
【請求項２】
工具カップリング部が、内側ハンドルの長手方向軸に沿って延びる工具収容開口を備えて成る、請求項１の工具。
【請求項３】
工具カップリング部が、内側ハンドルの外側表面を備えて成る、請求項１の工具。
【請求項４】
工具カップリング部と取り外し可能に係合するのに適合された複数の工具各々を備えて成る、請求項１の工具。
【請求項５】
バイアスアセンブリ開口が、半径方向に向けられたスロットに連結される、請求項１の工具。
【請求項６】
バイアスアセンブリ開口の近位端が、ねじ部を備えて成る、請求項１の工具。
【請求項７】
半径方向に向けられたスロットが、少なくとも一つの斜めの表面を備えて成る、請求項１の工具。
【請求項８】
インターフェイス部材が、長手方向軸に対して鋭角にバイアスアセンブリ開口の方へ向けられた少なくとも一つの表面を備えて成る、請求項１の工具。
【請求項９】
インターフェイス部材の細長い表面は、長手方向バイアス力が取り除かれると、概して内側ハンドルの外側表面と同一平面になる、請求項１の工具。
【請求項１０】
バイアス力が、インターフェイス部材の細長い表面を内側ハンドルの外側表面より上に移動させる、請求項１の工具。
【請求項１１】
細長い表面が、およそ１．０インチの長さである、請求項１の工具。
【請求項１２】
細長い表面が、曲線からなる形状を備えて成る、請求項１の工具。
【請求項１３】
細長い表面が、平坦部を備えて成る、請求項１の工具。
【請求項１４】
バイアスアセンブリが、スプリングを備えて成る、請求項１の工具。
【請求項１５】
長手方向バイアス力が、調整可能である、請求項１の工具。
【請求項１６】
バイアス部材がインターフェイス部材と係合するリーディングエッジを備えて成り、リテーナが内側ハンドルの近位端と係合する、請求項１の工具。
【請求項１７】
バイアス部材のリーディングエッジが、長手方向軸に対して鋭角を形成する、請求項１６の工具。
【請求項１８】
バイアス部材が、バイアスアセンブリ開口とスライド可能に係合する、請求項１６に記載の工具。
【請求項１９】
リテーナが、内側ハンドルの近位端とねじ止めで係合する、請求項１の工具。
【請求項２０】
内側ハンドルの近位端に対するリテーナの位置が、調節可能である、請求項１に記載の工具。
【請求項２１】
外側ハンドルの内側表面が、複数の移動止めを備えて成る、請求項１の工具。
【請求項２２】
外側ハンドルの内側表面が、曲線をなす表面を備えて成る、請求項１の工具。
【請求項２３】
外側ハンドルの内側表面が、概して滑らかな表面を備えて成る、請求項１の工具。
【請求項２４】
外側ハンドルの内側表面が、非対称構造を備えて成る、請求項１の工具。
【請求項２５】
外側ハンドルが、実質的に内側ハンドルを囲む、請求項１の工具。
【請求項２６】
工具カップリング部に加えられるトルクが限界値を超えると、インターフェイス部材が、半径方向内側に移動させられる、請求項１の工具。
【請求項２７】
工具カップリング部に加えられるトルクが限界値を超えると、内側ハンドルが、外側ハンドル内で回転する、請求項１の工具。
【請求項２８】
外側ハンドルに対する内側ハンドルの回転が、双方向である、請求項２７の工具。
【請求項２９】
第一方向で内側ハンドルに加えられる限界値を超えるトルクによって、内側ハンドルが外側ハンドル内で第一方向に回転させられ、第二方向で内側ハンドルに加えられる限界値を超えるトルクでは、内側ハンドルを外側ハンドル内で実質的に回転させない、請求項１の工具。
【請求項３０】
内側ハンドルを収容するのに適合させられた中央開口への一次孔を有する細長い外側ハンドルと、
外側ハンドルに内側ハンドルを保持するのに適合させられたキャップと、
を備えて成る、請求項１の工具。
【請求項３１】
内側ハンドル、外側ハンドル及びインターフェイス部材のうちの一つ又はそのいくつかが、金属、セラミック、複合材料、又は、その混合物より成る、請求項１の工具。
【請求項３２】
バイアスアセンブリ開口が、内側ハンドルに配置される、請求項１の工具。
【請求項３３】
工具カップリング手段と少なくとも一つの半径方向に向けられたスロットとを備えて成る内側ハンドルと、
半径方向に向けられたスロットに配置される少なくとも一つのインターフェイス手段であって、概して内側ハンドルの長手方向軸に沿って向けられた細長い表面を備えて成るインターフェイス手段と、
バイアスアセンブリ開口でバイアス部材とリテーナとの間に圧縮力を持って入れられ、且つ、半径方向外側にインターフェイス手段をバイアスする長手方向バイアス力を提供するために長手方向に沿って向けられるコイルバネと、
使用者によって握られるのに適合させられた外側表面と、インターフェイス手段の半径方向の変位を制限する内側表面とを有する、長手方向軸に沿って向けられた外側ハンドルとを備えて成り、外側ハンドルの内側表面と直接接触するインターフェイス手段上の細長い表面は、少なくともおよそ０．５インチの長さで且つ概して内側ハンドルの長手方向軸に沿って向けられる係合の細長い表面領域を備えて成り、内側ハンドル、外側ハンドル及びインターフェイス手段のうちの一つ又はそのいくつかが高分子材料より成る、トルク制限工具。
【請求項３４】
トルク伝達を制限する方法にして、
内側ハンドルの長手方向軸に沿って、長手方向バイアス力を発生させるステップと、
コイルバネをバイアスアセンブリ開口でリテーナとバイアス部材との間に圧縮させて位置決めするステップであって、コイルバネが長手方向バイアス力を提供するために長手方向軸に沿って向けられるステップと、
一つ以上のインターフェイス部材に長手方向バイアス力を連結するステップであって、長手方向バイアス力が一つ以上のインターフェイス部材上の長手方向に向けられた細長い表面を半径方向外側にバイアスするステップと、
外側ハンドル内に内側ハンドルの少なくとも一部分を位置決めするステップであって、外側ハンドルがユーザーによって握られるのに適した、長手方向軸に沿って向けられる外側グリップ表面を有するステップと、
一つ以上のインターフェイス部材上の細長い表面が、少なくともおよそ０．５インチの長さで且つ概して内側ハンドルの長手方向軸に沿って向けられる係合の細長い表面領域を備えて成る外側ハンドルの内側表面と直接接触するように、外側ハンドル内で一つ以上のインターフェイス部材の半径方向の動作を抑えるステップであって、内側ハンドル、外側ハンドル及び一つ以上のインターフェイス部材のうちの一つ又はそのいくつかが高分子材料から成るステップと、
内側ハンドルに加えられるトルクが限界値を超えると、内側ハンドルを外側ハンドルに対して回転させることを可能にするステップと、
を備えて成る方法。
【請求項３５】
複数の工具の一つを内側ハンドルに連結することを備えて成る、請求項３４の方法。
【請求項３６】
長手方向バイアス力を調整することを備えて成る、請求項３４の方法。
【請求項３７】
細長い表面を内側ハンドルの外側表面より上に移動させることを備えて成る、請求項３４の方法。
【請求項３８】
内側ハンドルに加えられるトルクが限界値を超えると、一つ以上のインターフェイス部材を半径方向内側に移動させることを備えて成る、請求項３４の方法。
【請求項３９】
外側ハンドルに対する内側ハンドルの回転が、双方向である、請求項３４の方法。
【請求項４０】
限界値を超えるトルクを第一方向で内側ハンドルに加えると、内側ハンドルが第一方向では外側ハンドル内で回転するステップと、
限界値を超えるトルクを第二方向で内側ハンドルに加えても、内側ハンドルが第二方向では外側ハンドル内で実質的に回転することを許容しないステップと、
を備えて成る、請求項３４の方法。
【請求項４１】
長手方向バイアス力を提供するスプリングを内側ハンドルから取り除くステップと、
内側ハンドルに異なったバネ定数を有する異なるスプリングを挿入するステップと、
を備えて成る、請求項３４の方法。